(57)【特許請求の範囲】
【請求項１】
前後方向を有し、防護柵に取り付ける錠と、
前記錠を施錠状態及び解錠状態に変える鍵とを含む前記防護柵であって、
前記錠は、施錠状態及び解錠状態に応じて、前記前後方向における前面側に位置する第１位置と、後面側に位置する第２位置とに往復移動可能なインジケータと、前記インジケータがあらわれる表示窓とを有し、
前記錠は、鍵孔を有する錠前面部と、前記鍵孔を塞ぐシャッターとを有し、
前記シャッターが前記インジケータであり、前記鍵孔が前記表示窓であって、
前記シャッターは、前記錠が施錠状態であるときに前記前面側に位置し、解錠状態であるときに前記後面側に位置し、
前記錠は、ブラケットを介して前記防護柵の後面に固定され、
前記防護柵の前面には、前記錠の前記錠前面部と前記シャッターとが露出し、
前記錠が施錠状態であるときに、前記錠前面部の前面と、前記防護柵の前面と、前記シャッターの前面とが同一平面上に位置することを特徴とする前記防護柵。
【請求項２】
前記錠は、ラッチを有し、前記鍵の旋回によって前記ラッチとともに旋回する回転体と、前記回転体を旋回可能に保持する回転体受部とを備え、
前記シャッターは、径方向の端部に係合爪を有し、
前記錠前面部は、前記前面側から前記後面側へ向けて突出する一対の突出片と、前記係合爪に係合して前記前後方向へ延び、一対の前記突出片の間に位置する離隔部分とを有し、
前記回転体受部と、前記突出片と、前記回転体との間には、前記係合爪に係合して前記シャッターが周方向へ旋回することを案内する溝を形成してあり、
前記溝は、前記離隔部分の後端につながり、
前記回転体と前記シャッターとの間には、前記シャッターを前記後面側から前記前面側へ付勢する付勢部材を設けてあり、
前記錠が解錠状態にあるときには、前記係合爪と前記溝とが係合するとともに、前記付勢部材の付勢力に抗して前記係合爪が前記突出片の後端部に当接して前記シャッターが前記後面側に位置し、
前記錠が解錠状態から施錠状態になったときには、前記係合爪が前記溝から前記離隔部分へ移動し、前記付勢部材の付勢力によって前記後面側から前記前面側へ前記シャッターが移動する請求項１に記載の防護柵。
【発明の詳細な説明】
【技術分野】
【０００１】
本発明は、防護柵に関する。
【背景技術】
【０００２】
前後方向を有し、扉に取り付けられる錠と、錠を施錠状態と解錠状態とに変える鍵とを備える施錠装置は公知である。例えば、特許文献１に開示されている錠は、ラッチを有し、鍵の旋回によってラッチとともに旋回するロータ（回転体）と、回転体の前端を閉じる前面板とを備えている。前面板は、表示窓を有し、回転体の前端面には、施錠状態を表示する第１着色表示部と、解錠状態を表示する第２着色表示部とを形成し、錠の施錠又は解錠状態に応じて表示窓からいずれか一方の着色表示部をあらわしていた。
【先行技術文献】
【特許文献】
【０００３】
【特許文献１】特開２０１４−４７５５７号公報
【発明の概要】
【発明が解決しようとする課題】
【０００４】
しかしながら、特許文献１に開示されている発明では、表示窓からあらわれる着色表示部の色のみによって錠の施錠状態又は解錠状態を表示するため、例えば、夜において、着色表示部の色を視認しづらいおそれがあった。
【０００５】
本発明が課題とするところは、錠の施錠状態及び解錠状態を容易に認識することができるように改良された防護柵の提供である。
【課題を解決するための手段】
【０００６】
前記課題を解決するための本発明が対象とするのは、前後方向を有し、防護柵に取り付ける錠と、前記錠を施錠状態及び解錠状態に変える鍵とを含む前記防護柵である。
【０００７】
本発明に係る防護柵の特徴は、前記錠は、施錠状態及び解錠状態に応じて、前記前後方向における前面側に位置する第１位置と、後面側に位置する第２位置とに往復移動可能なインジケータと、前記インジケータがあらわれる表示窓とを有し、前記錠は、鍵孔を有する錠前面部と、前記鍵孔を塞ぐシャッターとを有し、前記シャッターが前記インジケータであり、前記鍵孔が前記表示窓であって、前記シャッターは、前記錠が施錠状態であるときに前記前面側に位置し、解錠状態であるときに前記後面側に位置し、前記錠は、ブラケットを介して前記防護柵の後面に固定され、前記防護柵の前面には、前記錠の前記錠前面部と前記シャッターとが露出し、前記錠が施錠状態であるときに、前記錠前面部の前面と、前記防護柵の前面と、前記シャッターの前面とが同一平面上に位置することである。
【発明の効果】
【０００８】
本発明の１つ以上の実施の形態に係る施錠装置の錠によれば、施錠状態及び解錠状態に応じて、前後方向における前面側に位置する第１位置と、後面側に位置する第２位置とに往復移動可能なインジケータと、インジケータがあらわれる表示窓とを有するため、錠の施錠状態及び解錠状態を容易に認識することができる。
【図面の簡単な説明】
【０００９】
図面は、本発明の特定の実施の形態を示し、発明の不可欠な構成ばかりでなく、選択的及び好ましい実施の形態を含む。
【００１０】
【図１】本発明の第１実施形態に係る施錠装置を有する扉を備える防護柵の斜視図。
【図２】施錠装置の一部破断斜視図。
【図３】後方側から視た錠本体の分解斜視図。
【図４】図２のＩＶ−ＩＶ線における断面図。
【図５】前方側から視た錠の内部構造を示す分解斜視図。
【図６】図２の断面図において、錠本体の内部構造を示す断面図。
【図７】錠が施錠状態にあるときの蓋部及び取付部を前面側から視た斜視図。
【図８】施錠状態において、蓋部とシャッター板とを後面側から視た斜視図。
【図９】解錠状態において、図２のＩＶ−ＩＶ線と同一の個所における断面図。
【図１０】錠が解錠状態にあるときの蓋部及び取付部を前面側から視た斜視図。
【図１１】解錠状態において、蓋部とシャッター板とを後面側から視た斜視図。
【図１２】第２実施形態に係る錠において、図６と同様の断面図。
【発明を実施するための形態】
【００１１】
添付の図面を参照し、この発明に係る施錠装置の詳細を説明すると、以下のとおりである。また、以下の実施形態は、本発明の欠くことのできない要件を含む他に、選択的に採用することのできる要件及び適宜に組み合わせることのできる要件を含んでいる。
【００１２】
［第１実施形態］
図１は、この発明に係る施錠装置を有する防護柵１を示す斜視図である。図１における双頭矢印Ｘ，Ｙ，Ｚは、互いに交差する横方向Ｘと、縦方向Ｙと、前後方向Ｚとを示している。防護柵１は、駅のホーム２から人が線路に転落したり、ホーム２を通過する電車に人が接触したりすることを防止するため、ホーム２の縁に沿って設置してある。
【００１３】
防護柵１は、固定柵３と移動ドア４とを備えている。固定柵３は、内部に収容空間３ａを画定する固定壁（壁）３ｂを備えている。移動ドア４は、固定柵３の収容空間３ａに収容した収容状態（不図示）と、収容空間３ａから進出して固定柵３の外部に露出した進出状態（図１において実線で示した状態）とに移動可能に形成してある。移動ドア４が進出状態にあるときには、固定柵３と固定柵３との間の開口３ｃが移動ドア４によって閉じられ、ホーム２から線路側に人が移動することが規制される。一方、移動ドア４が収容状態にあるときには、開口３ｃを通じてホーム２側から線路側に停車した電車に人が移動することが許容される。
【００１４】
防護柵１は、収容状態と進出状態とに移動ドア４を移動するための駆動装置（不図示）を備えている。駆動装置は、固定壁３ｂの収容空間３ａに配置してある。固定壁３ｂのホーム２側には開口５を形成してある。固定壁３ｂは、開口５を開閉する扉（被装着体）６を備えている。固定壁３ｂは、通常、扉６を閉じることによって駆動装置及び収容空間３ａが外部に露出することを防止しているが、駆動装置の点検等を行うときには扉６を開いて駆動装置及び収容空間３ａを露出することができる。固定壁３ｂは、扉６の開閉を規制及び許容する錠２０を備えている。
【００１５】
図２は、錠２０を扉６に取り付けた状態を示す部分破断斜視図である。施錠装置１０は、錠２０と、錠２０に挿入されて施錠・解錠が可能な操作ハンドル（鍵）３０と、オプションとして、錠２０を固定するためのブラケット９０とを含む。錠２０は、ラッチ２１と鍵孔２３とを有する錠本体２２を備えている。図２において実線で示すように、扉６の固定枠７に対して交差するように錠本体２２のラッチ２１が縦方向Ｙへ延びた施錠状態では、ラッチ２１が固定枠７の後面に係止されて扉６が前方に向かって開くことを規制している。かかる施錠状態において、錠本体２２の鍵孔２３に操作ハンドル３０を挿入してラッチ２１を周方向Ｒへ旋回し、図２において二点鎖線で示すように、ラッチ２１を横方向Ｘへ延びる位置に移動させると、ラッチ２１と固定枠７との係止が解かれ、錠２０が解錠状態となって扉６を開くことができる。
【００１６】
操作ハンドル３０は、例えば、前後方向Ｚである軸方向に延びる軸部３２と、軸部３２の基端に位置して軸方向へ直交して延びる把持部３１と、軸部３２の先端に位置して軸方向へ直交して延びる一対の延出部３４ａ，３４ｂとを有する。軸部３２は、例えば、中空であって、その先端には後記のピン６６を挿入するための開口３４を有する。
【００１７】
錠本体２２は、蓋部４０と、後記する回転体６５が収容される取付部５０とを有する。蓋部４０は、円筒状であって、鍵孔２３が位置する円形の錠前面部４０ａと、錠前面部４０ａの後方において径外方向に延出する環状の第１フランジ４５とを有する。錠前面部４０ａは、第１フランジ４５から前方へ突出しており、第１フランジ４５と錠前面部４０ａとの間には、第１側壁部（段部）４１が形成されている。蓋部４０において、錠前面部４０ａの後面には、図３に示すように、第１フランジ４５の後端まで延びる、半円における弧状の一対の突出片４５ａが位置し、一対の突出片４５ａの間には、離隔部分４５ｂが形成されている。本実施形態において、錠前面部４０ａと第１フランジ４５とが一体に形成されているが、別体に形成されていてもよい。
【００１８】
錠前面部４０ａの鍵孔２３は、図２に示すように、操作ハンドル３０の軸部３２に対向する中心孔２３ａと、中心孔２３ａの径外方向へ互いに対向して延びる一対の第１延出孔２３ｂ及び第２延出孔２３ｃとを有する。なお、第１及び第２延出孔２３ｂ，２３ｃは、少なくとも一方が設けられていればよい。
【００１９】
蓋部４０には、前面側からカバー部材８０が取り付けられている。換言すると、蓋部４０は、カバー部材８０を有している。カバー部材８０は、好ましくは、ゴムやガラスや硬質のプラスチック等の電気絶縁材料から形成されたものであって、静電気による放電の発生が抑制される。カバー部材８０は、図２及び図３に示すように、鍵孔２３と同形同大の透孔８３が位置する中央部８１と、中央部８１の径外方向へ延びる後方周縁部（周縁部）８２とを有する。カバー部材８０の中央部８１と後方周縁部８２との間には、蓋部４０の第１側壁部４１に対応するカバー側壁部（カバー段部）８４が形成されている。後方周縁部８２には、後面側へ向けて突出する突出部８５を形成してある。蓋部４０とカバー部材８０とは、図４に示すように、蓋部４０の前面側に形成した一対の凹部４９と、カバー部材８０の一対の突出部８５とを係合させることによって、周方向Ｒへの回転を規制しながら両者が組み合わされている。換言すれば、突出部８５と凹部４９とで回転規制部８６が構成されている。また、後方周縁部８２の径方向Ｄの寸法が周方向Ｒで一定であり、第１フランジ４５の径方向Ｄの寸法が周方向Ｒで一定であり、後方周縁部８２及び第１フランジ４５は、回転規制部８６を除いた全領域で当接している。なお、図４は、図２の矢視ＩＶ−ＩＶにおける断面図である。図４において、説明の便宜のため錠本体２２の内部にはハッチングを付してその内部構造を省略してあり、錠本体２２の内部構造の詳細は後述する。
【００２０】
取付部５０は、図２及び図３に示すように、略矩形の第２フランジ５１と、両端開口を有し、第２フランジ５１の前方及び後方へ延出する円筒状の回転体受部５２とを有している。具体的には、回転体受部５２は、第２フランジ５１から前方へ延びる前方周壁部５２ａと、第２フランジ５１から後方へ延びる後方周壁部５２ｂとを有する。第２フランジ５１には、４つの隅部にそれぞれ位置する第１貫通孔５０ａと、縦方向Ｙに互いに対向する一対の第２貫通孔５０ｂとが位置する。第１フランジ４５と第２フランジ５１との間には、第２側壁部（第２段部）４６が位置する。
【００２１】
蓋部４０と取付部５０との組み立て態様について言えば、蓋部４０の一対の突出片４５ａと第１フランジ４５とによって画定される凹部４４に、第２フランジ５１の前方周壁部５２ａを嵌挿させ、取付部５０の第２貫通孔５０ｂに先端を通したネジ５８を、蓋部４０の後面側に位置するネジ孔４８に締結することによって両者が組み合わされている。
【００２２】
図３を参照すると、前後方向Ｚにおいて、蓋部４０と取付部５０との間には、回転体６５が回転可能に配置してある。回転体６５は、取付部５０の後方周壁部５２ｂから後方へ延びる、中央にねじ孔６５ａが位置する固定部６７ｄを有する。固定部６７ｄには、係止板９６がその中心に形成された角孔９６ａを嵌合させて係止板９６が取り付けられている。固定部６７ｄには、さらに、係止板９６の後方において、ラッチ２１の角孔２１ａを嵌合させてラッチ２１が取り付けられている。固定部６７ｄには、ラッチ２１のさらに後方において、ワッシャ９８を介して係止板９６及びラッチ２１がボルト９９で固定されている。係止板９６は、中心から径外方向へ互いに対向して延びる一対の係止部９６ｂを有する。取付部５０の後方周壁部５２ｂの後端には、係止板９６の係止部９６ｂに対応して位置する一対の突出片５５が位置しており、突出片５５が、係止板９６とともにラッチ２１の旋回を規制する旋回規制部５６を構成している。ラッチ２１は、施錠状態において、固定枠７に係止する先端部２１ｂと、角孔２１ａが位置する基端部２１ｃをと有する。
【００２３】
ブラケット９０は、扉６の後面に溶接された両端固定部９２と、扉６の取付孔６ｂに連通された貫通孔９０ａが位置する中央部９１と、両端固定部９２と中央部９１との間に位置して前後方向Ｚへ延びるブラケット段部９４とを有する。中央部９１において、貫通孔９０ａの径方向Ｄの外側には、複数のネジ孔９０ｂが位置しており、取付部５０の第１貫通孔５０ａに先端を通したネジ５９をネジ孔９０ｂに締結することによって、錠本体２２を扉６に取り付けることができる。より具体的に言えば、錠本体２２の前面側がブラケット９０の貫通孔９０ａと、扉６の取付孔６ｂとに嵌挿され、図４に示すように、第２フランジ５１において、第２側壁部４６の外周縁部５７と、ブラケット９０の貫通孔９０ａの開口周縁９３とを対向させるとともに、カバー部材８０に被覆された第１フランジ４５において、第１側壁部４１の外周縁部４３が、パッキン８７を介在させた状態で、扉６の後面側に位置する、取付孔６ｂの開口周縁部８に当接されている。ブラケット段部９４は、前後方向Ｚにおいて、扉６の後面と、第２フランジ５１の前面との間に、錠本体２２の前面側を位置させるための空間９４ａを形成するものである。
【００２４】
錠本体２２をブラケット９０を介して扉６に取り付けた状態において、錠本体２２の前面８０ａと扉６の前面６ａとは、同一平面上に位置している。ここで、「錠本体２２の前面８０ａと扉６の前面６ａとは、同一平面上に位置している」とは、錠本体２２の前面８０ａと扉６の前面６ａとが、縦方向Ｙおよび横方向Ｘへ直線状に並んでほぼ面一である場合のほかに、意図的にそれらの間に段差を設けないことを意味するものであって、製造上及び設計上において生じる僅かな誤差、例えば、前者と後者との間に約３．０ｍｍ以下の段差が生じる場合をも含むものである。また、「錠本体２２の前面８０ａ」とは、取付孔６ｂから露出している錠本体２２の部分を意味し、本実施形態においては、蓋部４０がカバー部材８０を有していることによって、取付孔６ｂからカバー部材８０の中央部８１が露出しているので、中央部８１の前面８０ａが錠本体２２の前面となる。ただし、蓋部４０にカバー部材８０が取り付けられていない場合には、蓋部４０の錠前面部４０ａが錠本体２２の前面８０ａとなるが、この場合には、錠前面部４０ａは、カバー部材８０の前後方向Ｚの寸法だけ、前方側に突出する。
【００２５】
上記特許文献１に開示されている発明の錠では、前面板が壁の前方側へ突出するように扉に取り付けてある。このため、上記錠には、前面板に異物が当たることによって前面板が破損するおそれがあった。一方、上述したように、錠本体２２の前面８０ａと扉６の前面６ａとが同一平面上に位置することから、錠本体２２に異物が当たってガタつきを生じたり破損したりするおそれはない。また、錠本体２２の前面８０ａが、扉６の前面６ａから後方に位置している場合、及び前方へ突出している場合に比して、外観上すっきりとした印象を与えることができ、意匠性にも優れる。
【００２６】
また、後方周縁部８２及び第１フランジ４５は、回転規制部８６を除いた全領域で当接しているため、回転規制部８６から外れた部位における第１フランジ４５の面積を広くすることができる。このため、カバー部材８０を介した第１フランジ４５と扉６との接触面積を広くすることができることにより、扉６に対して錠本体２２が振動することなく安定した状態で取り付けることができる。しかも、この施錠装置１０によれば、後方周縁部８２の径方向Ｄの寸法が周方向Ｒで一定であり、第１フランジ４５の径方向Ｄの寸法が周方向Ｒで一定であるため、上記効果を一層向上することができる。
【００２７】
なお、上記実施形態には、第１フランジ４５に凹部４９を形成する一方、カバー部材８０に突出部８５を形成するものを説明したが、第１フランジ４５に突出部を形成する一方、カバー部材８０に凹部を形成してもよい。
【００２８】
また、上記実施形態には、扉６に取り付けられる錠２０を説明したが、錠２０は、扉６を支持する固定壁（壁（被装着体））３ｂに取り付けるものにも適用することができる。
【００２９】
さらに、上記実施形態には、錠前面部４０ａ及び第１フランジ４５がカバー部材８０を備える錠２０を説明したが、カバー部材８０を必ず設ける必要はない。カバー部材８０を省略するときには、錠前面部４０ａの前面と扉６の前面６ａとが同一平面上に位置することとなる。
【００３０】
また、上述した実施形態には、錠２０は、錠前面部４０ａが有するカバー部材８０の中央部８１の前面８０ａと、扉６の前面６ａとが同一平面上に位置するように、パッキン８７を介して扉６の後面側から、カバー部材８０を介在させた状態で、第１フランジ４５を扉６の後方周縁部８２に押し当てながら錠２０を扉６に取り付けてあるが、必ずしもパッキン８７を設ける必要はない。
【００３１】
さらに、上述した実施形態には、錠２０にブラケット９０を設けるものを説明したが、必ずしもブラケット９０を設ける必要はない。例えば、扉６の後面側に頭部を溶接したボルトを取り付け、そのボルトに締結するナットによって錠２０を扉６に取り付けてもよい。
【００３２】
次に、図５〜図６を参照しつつ、錠本体２２の内部構造について説明する。錠本体２２は、錠前面部４０ａと取付部５０との間に、シャッター板（シャッター）６０と、ラッチ２１を有し、操作ハンドル３０の旋回によってラッチ２１と共に周方向Ｒへ旋回する回転体６５と、シャッター板６０と回転体６５との間に位置してシャッター板６０を後面側から前面側へ付勢するスプリング（付勢部材）７１とを備え、シャッター板６０と回転体６５とスプリング７１とを、錠前面部４０ａ及び第１フランジ４５と取付部５０との間に入れた状態で錠前面部４０ａ及び第１フランジ４５と取付部５０とを取り付けてある。回転体受部５２は、回転体６５を旋回可能に保持するものである。
【００３３】
回転体６５は、取付部５０の後方周壁部５２ｂ内に位置する基端部６７と、基端部６７の中心から前方へ延出するピン６６と、ピン６６を囲むように基端部６７から前方へ延びる一対の半円の弧状の突出部分６８ａから形成された内側周壁部６８とを有する。基端部６７は、内側周壁部６８側において径方向Ｄの外方に位置する第１延出部（フランジ）６７ａと、第１延出部の後方に位置するそれと同形同大の第２延出部（フランジ）６７ｂとを有する。基端部６７は、さらに、第２延出部６７ｂから後方へ延びる第２延出部６７ｂよりも外形寸法の小さな後方円筒部６７ｃと、後方円筒部６７ｃから後方へ突出する、ラッチ２１の基端部２１ｃを取り付けるためのねじ孔６５ａが位置する固定部６７ｄとを有する。基端部６７は、第１延出部６７ａと第２延出部６７ｂとの間に、周方向へ延びる溝６７ｅを有し、該溝６７ｅにはＯリング７３を配置してある。
【００３４】
内側周壁部６８を形成する突出部分６８ａは、径方向Ｄの内方から外方へ向けて凹む凹部７０を有し、一対の突出部分６８ａの間の離隔部分６８ｂと、凹部７０とがピン６６を中心として十字状となるように、互いに約９０度で等間隔に配置されている。内側周壁部６８の径方向Ｄの内部には、らせん状のスプリング７１を介してシャッター板６０が前方へ付勢された状態で配置されている。内側周壁部６８の内面は凹曲状を有し、らせん状のスプリング７１の中央にはピン６６を挿通し、かつ、該内面にスプリング７１が当接した状態で配置される。
【００３５】
シャッター板６０は、施錠状態において鍵孔２３から前面側に露出する十字状のシャッター部６１と、シャッター部６１の後方においてそれよりも僅かに外形寸法の大きな係合部６２と、シャッター部６１及び係合部６２の中心に位置してそれらを貫通する中心孔６０ａとを有する。シャッター部６１は、鍵孔２３の中心孔２３ａ並びに第１及び第２延出孔２３ｂ，２３ｃに対応する形状を有し、鍵孔２３にシャッター部６１が係合し、この係合状態では、鍵孔２３がシャッター部６１によって塞がれる。係合部６２は、一対の突出部分６８ａの間の離隔部分６８ｂ及び凹部７０に嵌合する形状を有する。係合部６２は、施錠状態において、横方向Ｘ及び縦方向Ｙにおける鍵孔２３の周縁部２３ｄに後面側から当接する当接部分であり、シャッター部６１は、係合部６２から前面側へ向けて突出する突出部分である。施錠状態において、鍵孔２３の周縁部２３ｄに後面側から係合部６２が当接するため、鍵孔２３から錠本体２２の内部へ埃等の異物が入るのを防止することができる。さらに係合部６２を具体的に説明すると、係合部６２は、中心孔６０ａの径方向Ｄの外方へ互いに対向して延びる第１羽根（長羽根）６２ａと、第１羽根６２ａと直交するように径外方向へ互いに対向して延びる、第１羽根６２ａよりも僅かに長さ寸法の小さな第２羽根（短羽根）６２ｂとを有する。第１羽根６２ａは、自身の径方向の端部に、一対の係合爪６３を有している。この係合爪６３は、一対の突出片４５ａの間に位置する離隔部分４５ｂに係合する。
【００３６】
錠本体２２には、回転体受部５２と、一対の突出片４５ａと、回転体６５との間には、係合爪６３に係合してシャッター板６０が周方向Ｒへ旋回することを案内する溝７７が形成してある。より具体的には、回転体受部５２の内周面５２ｄと、突出片４５ａの後端縁４５ｃと、回転体６５の前端縁６７ｆとによって溝７７が形成されている。該溝７７は、離隔部分４５ｂの後端とつながっている。
【００３７】
シャッター板６０は、その中心孔６０ａにピン６６が挿入され、係合部６２の羽根６２ａ，６２ｂが内側周壁部６８の凹部７０及び離隔部分６８ｂに位置した状態で回転体６５に保持される。具体的には、施錠状態において、離隔部分６８ｂに第１羽根６２ａが位置し、凹部７０に第２羽根６２ｂが位置する。
【００３８】
かかる構成を有する施錠装置１０の施錠状態を図６〜図８に示す。なお、図７及び図８は、説明の便宜のため、一部の部品を省略して示してある。施錠状態では、シャッター板６０がスプリング７１の付勢力によって蓋部４０の内面（錠前面部４０ａの内面）に押し当てられ、シャッター部６１は、前面側に位置する第１位置に位置するとともに、鍵孔２３の延出孔２３ｂ，２３ｃに係合するとともに、係合部６２は、鍵孔２３の周縁部２３ｄに押し当てられるため、錠本体２２の内部に塵等の異物が入るのを防止することができる。また、第１羽根６２ａは、突出部分６８ａ間に位置する離隔部分６８ｂ及び突出片４５ａ間に位置する離隔部分４５ｂに嵌合されている。第１羽根６２ａが離隔部分４５ｂ，６８ｂに嵌合することによって、シャッター板６０が回転体６５に対して旋回するのを規制することができる。回転体６５の旋回が規制されることによって、ラッチ２１が旋回されることはなく、ラッチ２１が扉６の固定枠７から離れて解錠されることはない。
【００３９】
施錠装置１０を解錠して扉６を開閉するときには、操作ハンドル３０の延出部３４ａ，３４ｂを錠本体２２の鍵孔２３における第２延出孔２３ｃに差し込むとともに、鍵孔２３を閉鎖しているシャッター板６０のシャッター部６１に当接させる。さらに、操作ハンドル３０を押し入れて、シャッター板６０をスプリング７１の付勢力に抗してシャッター板６０を後方へ押し込む。それによって、シャッター板６０の係合部６２の第１羽根６２ａが蓋部４０の離隔部分４５ｂから外れ、係合爪６３が溝７７に係合する。係合爪６３が溝７７に係合した状態では、シャッター板６０は、溝７７に沿って周方向Ｒへ旋回可能である。
【００４０】
かかる状態から操作ハンドル３０を回転すると、シャッター板６０の係合爪６３が溝７７に案内されつつ、延出部３４ａ，３４ｂが回転体６５の離隔部分６８ｂの内面に当接しながら回転体６５を回転させ、係止板９６の係止部９６ｂが後方周壁部５２ｂの突出片５５に当たって停止する（回転体６５の回転角は約９０度）。回転体６５の回転とともにラッチ２１が旋回し、扉６の固定枠７からラッチ２１が外れ、錠本体２２が解錠状態となり、扉６をあけることができるようになる。
【００４１】
錠本体２２の解錠状態を、図９〜図１１に示す。なお、図１０及び図１１は、説明の便宜のため、一部の部品を省略して示している。スプリング７１の付勢力によってシャッター板６０の係合爪６３が、突出片４５ａの後端縁４５ｃに押し当てられ、シャッター板６０は後面側の第２位置に位置することとなる。この状態において、錠本体２２の内部では、離隔部分４５ｂは縦方向Ｙの両端にのみ配置され、径方向における他の部分には突出片４５ａが配置されているため、シャッター板６０は、スプリング７１の付勢力に抗して後面側の第２位置に位置する状態が維持されることとなる。
【００４２】
この施錠装置１０によれば、施錠状態ではシャッター板６０が前面側の第１位置に位置する一方、解錠状態ではシャッター板６０が後面側の第２位置に位置し、鍵孔２３からシャッター板６０の位置を視認することができる。換言すれば、シャッター板６０が、錠２０の施錠・解錠状態を示すインジケータであり、鍵孔２３は、そのインジケータの状態をあらわす表示窓である。このため、夜等においても、錠２０が施錠状態であるか解錠状態であるかが容易にわかる。なお、解錠状態から施錠状態とするには、この操作と逆の操作を行えばよい。錠２０を、施錠状態と解錠状態とに変化させれば、シャッター板６０が第１位置と第２位置とに往復移動する。
【００４３】
また、鍵孔２３が表示窓であり、シャッター板６０がインジケータであるため、特許文献１に開示された施錠装置のように、表示窓及びインジケータ（着色表示部）と鍵穴及びシャッターとをそれぞれ設けてあるものと比較すると、錠２０を小型化することができる。
【００４４】
また、図６を参照すると、回転体受部５２の後端部には、径方向Ｄの内側へ突出する縮径部５２ｃを形成してある。また、縮径部５２ｃの内径寸法Ｄ１が、回転体６５の最大外径寸法Ｄ２よりも小さく、かつ、該回転体６５の最大外径寸法Ｄ２が、回転体受部５２の最小内径寸法Ｄ３よりも小さいため、回転体受部５２の内方へ回転体６５を入れ、その後、錠前面部４０ａ及び第１フランジ４５を、第２フランジ５１に取り付ければ、回転体６５の第２延出部６７ｂの後端が、縮径部５２ｃの前端に当接する。このため、電車がホーム２を通過することによって発生する風によって発生する、前方側から後方側へ向かう力を、シャッター板６０を介して回転体６５が受けても、回転体６５が回転体受部５２の後方側に脱落するのを防止することができる。
【００４５】
［第２実施形態］
第２実施形態の施錠装置１０において、図６と同様の断面図を図１２に示す。図１２に示すように、この施錠装置１０の錠２０においては、シャッター板６０のシャッター部６１の前面６１ａと、扉６の前面６ａとが同一平面上に位置する。
【００４６】
この施錠装置１０によれば、シャッター部６１の前面６１ａと、扉（被装着体）６の前面６ａとが同一平面上に位置するため、異物が鍵孔２３に引っ掛かることを防止することができる。また、壁（被装着体）６に対して、シャッター板６０のシャッター部６１の前面６１ａも同一平面上に位置するので、一層、見栄えを向上することができる。
【００４７】
加えて、施錠状態では、シャッター部６１によって、扉６の前面６ａとシャッター部６１の前面６１ａとが同一平面上に位置し、シャッター部６１の前面６１ａと錠前面部４０ａの前面８０ａとが同一平面上に位置する。このため、使用者は、鍵孔２３を指で触れ、鍵孔２３にシャッター部６１が存在すれば施錠状態である一方、鍵孔２３にシャッター部６１が存在しなければ解錠状態であることが解る。これにより、視覚によらずに触覚のみでも、錠２０が施錠状態であるか、解錠状態であるかが解る。
【００４８】
なお、上述した実施形態には、錠２０が施錠状態にあるとき、シャッター板６０が前面側に位置する一方、錠２０が解錠状態にあるとき、シャッター板６０が後面側に位置する施錠装置１０を説明した。しかし、この発明は、そのような施錠装置１０に限られず、錠が解錠状態にあるとき、シャッター板６０が前面側に位置する一方、錠２０が施錠状態にあるとき、シャッター板６０が後面側に位置する施錠装置でもよい。
【００４９】
これまでに説明した本発明は、少なくとも以下のように整理することができる。
前後方向を有し、防護柵に取り付ける錠と、前記錠を施錠状態及び解錠状態に変える鍵とを含む前記防護柵であって、前記錠は、施錠状態及び解錠状態に応じて、前記前後方向における前面側に位置する第１位置と、後面側に位置する第２位置とに往復移動可能なインジケータと、前記インジケータがあらわれる表示窓とを有し、前記錠は、鍵孔を有する錠前面部と、前記鍵孔を塞ぐシャッターとを有し、前記シャッターが前記インジケータであり、前記鍵孔が前記表示窓であって、前記シャッターは、前記錠が施錠状態であるときに前記前面側に位置し、解錠状態であるときに前記後面側に位置し、前記錠は、ブラケットを介して前記防護柵の後面に固定され、前記防護柵の前面には、前記錠の前記錠前面部と前記シャッターとが露出し、前記錠が施錠状態であるときに、前記錠前面部の前面と、前記防護柵の前面と、前記シャッターの前面とが同一平面上に位置することを特徴とする。
【００５０】
また、本発明には、少なくとも以下の実施態様がある。
（１）前記錠は、ラッチを有し、前記鍵の旋回によって前記ラッチとともに旋回する回転体と、前記回転体を旋回可能に保持する回転体受部とを備え、前記シャッターは、径方向の端部に係合爪を有し、前記錠前面部は、前記前面側から前記後面側へ向けて突出する一対の突出片と、前記係合爪に係合して前記前後方向へ延び、一対の前記突出片の間に位置する離隔部分とを有し、前記回転体受部と、前記突出片と、前記回転体との間には、前記係合爪に係合して前記シャッターが周方向へ旋回することを案内する溝を形成してあり、前記溝は、前記離隔部分の後端につながり、前記回転体と前記シャッターとの間には、前記シャッターを前記後面側から前記前面側へ付勢する付勢部材を設けてあり、前記錠が解錠状態にあるときには、前記係合爪と前記溝とが係合するとともに、前記付勢部材の付勢力に抗して前記係合爪が前記突出片の後端部に当接して前記シャッターが前記後面側に位置し、前記錠が解錠状態から施錠状態になったときには、前記係合爪が前記溝から前記離隔部分へ移動し、前記付勢部材の付勢力によって前記後面側から前記前面側へ前記シャッターが移動する。
【符号の説明】
【００５１】
３ｂ    固定壁（壁（被装着体））
６      扉（被装着体）
６ａ    前面
１０    施錠装置
２０    錠
２１    ラッチ
２３    鍵孔（表示窓）
３０    操作ハンドル（鍵）
４０ａ  錠前面部
４５ａ  突出片
４５ｂ  離隔部分
５２    回転体受部
６０    シャッター板（インジケータ）
６３    係合爪
６５    回転体
７１    スプリング（付勢部材）
７７    溝
Ｄ      径方向
Ｄ１    縮径部の内径寸法
Ｄ２    回転体の最大外径寸法
Ｄ３    回転体受部の最小内径寸法
Ｒ      周方向
Ｘ      横方向
Ｙ      縦方向
Ｚ      前後方向
【図１】
0006667216.tif 000002
【図２】
0006667216.tif 000003
【図３】
0006667216.tif 000004
【図４】
0006667216.tif 000005
【図５】
0006667216.tif 000006
【図６】
0006667216.tif 000007
【図７】
0006667216.tif 000008
【図８】
0006667216.tif 000009
【図９】
0006667216.tif 000010
【図１０】
0006667216.tif 000011
【図１１】
0006667216.tif 000012
【図１２】
0006667216.tif 000013